(57)【特許請求の範囲】
【請求項１】
デジタルデータ信号の周波数とは異なる周波数を有するキャリア信号を用いて前記デジタルデータ信号を通信する通信回路であって、この通信回路が、
第１及び第２の組のキャパシタと；
前記デジタルデータ信号及びキャリア信号を用いて、前記デジタルデータ信号そのものを、このキャリア信号と、このキャリア信号の反転とでそれぞれ混合することで、混合データ信号を発生させ、且つ前記混合データ信号を反転することで、混合反転データ信号を発生させるとともに、
前記混合データ信号を前記第１の組のキャパシタに供給し、前記混合反転データ信号を前記第２の組のキャパシタに供給するように構成配置した第１の回路と；
前記第１及び第２の組のキャパシタをそれぞれ通過した混合信号からデータ信号を再生するように構成配置した第２の回路と
を具えた通信回路。
【請求項２】
請求項１に記載の通信回路において、前記第２の回路は、前記第１及び第２の組のキャパシタから得られた差動信号をそれぞれ、変調データ信号に相当するパルス及び反転変調データ信号に相当するパルスに変換し、これらパルスからデータ信号を再生することにより、混合信号からデータ信号を再生するように構成配置されている通信回路。
【請求項３】
請求項１に記載の通信回路において、前記第２の回路は、
それぞれのキャパシタにおける値に基づいて、変調データ信号に相当するパルス及び反転変調データ信号に相当するパルスを発生させ、
キャパシタのそれぞれの組の各々から得られる順次に離間したパルスのそれぞれの列における最初のパルス及び最後のパルスの少なくとも一方に基づいてデータ信号の立ち上がり縁及び立ち下がり縁の少なくとも一方を識別して、パルスからデータ信号を再生させることにより、混合信号からデータ信号を再生させるように構成配置されている通信回路。
【請求項４】
請求項１に記載の通信回路において、前記第２の回路は、第１の組のキャパシタの出力を用いてデータ信号の立ち上がり縁を決定するとともに、第２の組のキャパシタの出力を用いてデータ信号の立ち下がり縁を決定してデータ信号を再生することにより、混合信号からデータ信号を再生するように構成配置されている通信回路。
【請求項５】
請求項１に記載の通信回路において、前記第１及び第２の組のキャパシタにはそれぞれ、前記第２の回路のインピーダンスを低くするとともに、前記第１又は第２の回路の何れかに電圧の過渡が存在している際に前記第２の回路におけるクリップを緩和するように構成配置した抵抗が結合されている通信回路。
【請求項６】
請求項１に記載の通信回路において、前記第１の回路は、前記キャリア信号を反転させることによりこのキャリア信号の反転を発生させるように構成配置されている通信回路。
【請求項７】
請求項１に記載の通信回路において、
前記第１の組のキャパシタが、前記キャリア信号と混合された前記データ信号を受けるように結合されたキャパシタと、前記キャリア信号の反転と混合された前記データ信号を受けるように結合されたキャパシタとを有し、
前記第２の組のキャパシタが、前記キャリア信号と混合された前記データ信号を受けるように結合されたキャパシタと、前記キャリア信号の反転と混合された前記データ信号の反転を受けるように結合されたキャパシタとを有している通信回路。
【請求項８】
請求項１に記載の通信回路において、
前記第１の組のキャパシタが、前記キャリア信号と混合された前記データ信号を受けるように結合されたキャパシタと、前記キャリア信号の反転と混合された前記データ信号を受けるように結合されたキャパシタとを有し、
前記第２の組のキャパシタが、前記キャリア信号と混合された前記データ信号の反転を受けるように結合されたキャパシタと、前記キャリア信号の反転と混合された前記データ信号の反転を受けるように結合されたキャパシタとを有し、
前記第２の回路は、前記第１の組のキャパシタの差動出力に基づいて順次に離間したパルスの第１及び第２の列を発生させ、前記第２の組のキャパシタの差動出力に基づいて順次に離間したパルスの第３及び第４の列を発生させ、前記第１及び第２の組のキャパシタの各組に対する順次に離間したパルスの列の少なくとも一方の列の開始及び終了の少なくとも一方に基づいて、再生信号の立ち上がり縁及び立ち下がり縁を識別することにより、前記データ信号を再生するように構成配置されている通信回路。
【請求項９】
請求項１に記載の通信回路において、
前記第１の回路及び第２の回路の少なくとも一方が高電圧回路に結合されており、
前記キャパシタは、前記データ信号の周波数を有する信号を阻止するとともに前記キャリア信号の周波数を有する信号を通過させ、前記第１及び第２の回路の少なくとも一方から生じる高電圧がこれら第１及び第２の回路の他方に到達するのを阻止するように構成配置されている通信回路。
【請求項１０】
請求項１に記載の通信回路において、前記第１の回路が、
前記キャリア信号を発生するように構成配置された発振器と、
それぞれ２つの入力端と１つの出力端とを有する第１、第２、第３及び第４のＡＮＤゲートであって、第１及び第２のＡＮＤゲートの出力端が前記第１の組のキャパシタにおけるそれぞれのキャパシタに接続されているとともに、第３及び第４のＡＮＤゲートの出力端が前記第２の組のキャパシタにおけるそれぞれのキャパシタに接続されている、これら第１、第２、第３及び第４のＡＮＤゲートと、
前記発振器と前記第１及び第３のＡＮＤゲートの入力端との間に接続され、前記発振器から生じるキャリア信号を反転させてこのキャリア信号の反転を前記第１及び第３のＡＮＤゲートに供給するように構成配置された第１のインバータ回路と、
前記第３及び第４のＡＮＤゲートの入力端に接続され、前記デジタルデータ信号を反転させてこのデジタルデータ信号の反転を前記第３及び第４のＡＮＤゲートに供給するように構成配置された第２のインバータ回路と
を具えており、
前記第１及び第２のインバータ回路は前記第３のＡＮＤゲートの互いに異なる入力端に接続されており、
前記第１のＡＮＤゲートは、反転されたキャリア信号をデジタルデータ信号と混合することにより混合データ信号の１つを発生させるように構成配置されており、前記第２のＡＮＤゲートは、キャリア信号をデジタルデータ信号と混合することにより混合データ信号の１つを発生させるように構成配置されており、前記第３のＡＮＤゲートは、反転されたキャリア信号を反転されたデジタルデータ信号と混合することにより混合データ信号の１つを発生させるように構成配置されており、前記第４のＡＮＤゲートは、キャリア信号を反転されたデジタルデータ信号と混合することにより混合データ信号の１つを発生させるように構成配置されている通信回路。
【請求項１１】
データ信号を反転させて反転データ信号を発生させるように構成配置された第１の反転回路と、
前記データ信号の周波数とは異なる周波数を有するキャリア信号を反転させて反転キャリア信号を発生させるように構成配置された第２の反転回路と、
第１及び第２の組のキャパシタを有する容量性回路と、
前記データ信号を、前記キャリア信号と前記反転キャリア信号との少なくとも一方と混合させ、この混合されたデータ信号を前記第１の組のキャパシタに供給するとともに、前記反転データ信号を、前記キャリア信号と前記反転キャリア信号との少なくとも一方と混合させ、この混合された反転データ信号を前記第２の組のキャパシタに供給するように構成配置された第１の信号混合回路と、
前記第１及び第２の組のキャパシタをそれぞれ通過する前記混合されたデータ信号及び前記混合された反転データ信号から前記データ信号を再生するように構成配置された第２の信号混合回路とを具える通信回路。
【請求項１２】
請求項１１に記載の通信回路において、前記第１の信号混合回路は、
前記データ信号を前記キャリア信号及び前記反転キャリア信号の各々と混合することにより、前記データ信号を前記キャリア信号及び前記反転キャリア信号の少なくとも一方と混合して２つの混合信号を発生させ、これら２つの混合信号を前記第１の組のキャパシタに供給し、
前記反転データ信号を前記キャリア信号及び前記反転キャリア信号の各々と混合することにより、前記反転データ信号を前記キャリア信号及び前記反転キャリア信号の少なくとも一方と混合して２つの混合信号を発生させ、これら２つの混合信号を前記第２の組のキャパシタに供給するように構成配置されている通信回路。
【請求項１３】
請求項１１に記載の通信回路において、前記第２の信号混合回路は、
変調されたデータ信号に相当するパルス及び変調された反転データ信号に相当するパルスを、それぞれのキャパシタにおける値に基づいて発生させ、
前記第１及び第２の組のキャパシタの各組から得られる順次に離間したパルスの列のそれぞれにおける最初のパルス及び最後のパルスの少なくとも一方に基づいて前記データ信号の立ち上がり縁及び立ち下がり縁の少なくとも一方を識別することにより、パルスから前記データ信号を再生させるように構成配置されている通信回路。
【請求項１４】
請求項１１に記載の通信回路において、前記第２の信号混合回路は、前記第１の組のキャパシタの出力を用いて前記データ信号の立ち上がり縁を決定し、前記第２の組のキャパシタの出力を用いて前記データ信号の立ち下がり縁を決定することにより、前記混合されたデータ信号及び前記混合された反転データ信号から前記データ信号を再生させるように構成配置されている通信回路。
【請求項１５】
請求項１１に記載の通信回路において、この通信回路が更に、
前記第１の信号混合回路に接続され、前記データ信号を発生するように構成配置されている低電圧制御回路と、
前記第２の信号混合回路に接続され、再生された前記データ信号を受けて制御可能に応答するように構成配置された高電圧回路と
を具えている通信回路。
【請求項１６】
デジタルデータ信号の周波数とは異なる周波数を有するキャリア信号を用いて前記デジタルデータ信号を通信する通信方法であって、この通信方法が、
前記デジタルデータ信号及びキャリア信号を用いるステップと、
前記デジタルデータ信号そのものを、このキャリア信号と、このキャリア信号の反転とでそれぞれ混合することで、混合データ信号を発生させるステップと、
前記混合データ信号を反転することで、混合反転データ信号を発生させるステップと、
前記混合データ信号を第１の組のキャパシタに供給するステップと、
前記混合反転データ信号を第２の組のキャパシタに供給するステップと、
前記第１及び第２の組のキャパシタをそれぞれ通過した混合信号から前記データ信号を再生するステップとを具える通信方法。
【請求項１７】
請求項１６に記載の通信方法において、混合信号から前記データ信号を再生する前記ステップが、前記第１及び第２の組のキャパシタから得られる差動信号をそれぞれ変調データ信号に相当するパルス及び反転変調データ信号に相当するパルスに変換するステップと、これらパルスからデータ信号を再生するステップとを有している通信方法。
【請求項１８】
請求項１６に記載の通信方法において、混合信号から前記データ信号を再生する前記ステップが、
それぞれのキャパシタにおける値に基づいて、変調データ信号に相当するパルス及び反転変調データ信号に相当するパルスを発生させるステップと、
キャパシタのそれぞれの組の各々から得られる順次に離間したパルスのそれぞれの列における最初のパルス及び最後のパルスの少なくとも一方に基づいてデータ信号の立ち上がり縁及び立ち下がり縁の少なくとも一方を識別することにより、パルスからデータ信号を再生させるステップとを有している通信方法。
【請求項１９】
請求項１６に記載の通信方法において、混合信号から前記データ信号を再生する前記ステップが、第１の組のキャパシタの出力を用いてデータ信号の立ち上がり縁を決定するステップと、第２の組のキャパシタの出力を用いてデータ信号の立ち下がり縁を決定するステップとを有している通信方法。
【請求項２０】
請求項１６に記載の通信方法において、キャリア信号と、このキャリア信号の反転とでそれぞれ混合した混合データ信号を発生させる前記ステップが、
前記キャリア信号と混合したデータ信号を発生させて第１のキャパシタに供給するとともに、前記キャリア信号の反転と混合したデータ信号を発生させて第２のキャパシタに供給し、前記第１及び第２のキャパシタは前記第１の組のキャパシタにおけるキャパシタとするステップと、
前記キャリア信号と混合した反転データ信号を発生させて第３のキャパシタに供給するとともに、前記キャリア信号の反転と混合した反転データ信号を発生させて第４のキャパシタに供給し、前記第３及び第４のキャパシタは前記第２の組のキャパシタにおけるキャパシタとするステップとを具えている通信方法。
【発明の詳細な説明】
【技術分野】
【０００１】
本発明は、容量性通信回路及び通信方法に関するものである。
【背景技術】
【０００２】
多くの電子回路分野では、種々の回路素子が異なる種類の電力を採用している。例えば、電気自動車、主電源及びモータドライバのような分野では、高電圧領域と低電圧領域とが採用されており、この場合高電圧領域の種々の態様を制御するのに低電圧領域を用いることができる。このような分野では、安全性の理由から、それぞれの電圧領域を互いに分離（絶縁）させるか、又は高感度回路を高電圧から保護するか、或いはこれらの双方を達成するようにするのが望ましい。
【０００３】
一例の回路分離の種類は、ガルバニック分離であり、これにより、接地点が互いに分離された電気回路の２部分間で、又は電荷キャリアの実際の流れが両者間で生じない２つの電気回路間で情報を交換させるようにする。ガルバニック分離は種々の回路で用いられており、これらの回路には、低電圧部分を保護したり、不所望な接地ループバイアスを回避したり、その他の望ましい特性を達成したりするために、著しく異なる電圧で動作するようにした異なる部分を有する回路が含まれている。
【０００４】
オプトカプラ（光結合素子）は、互いに異なる電圧で動作する回路間の通信を容易にするために採用されている一種のガルバニック分離回路である。オプトカプラは光放出素子及び検出素子（例えば、発光フォトダイオード及び光検出素子）を用いており、これらは、互いに電気的に分離された回路にそれぞれ結合されており、更に互いに電気的に分離されている。
【発明の概要】
【発明が解決しようとする課題】
【０００５】
これらのオプトカプラやその他の分離回路は有効であるが、これらは比較的複雑となるおそれがあり、インタフェーシング用の送信機及び受信機と関連して複雑性及び費用が増大するおそれがある。又、これらのオプトカプラはパラメータの変動に感応しやすくなり、その電力消費量が高くなり、帯域幅は小さくなるおそれがある。従って、電気的分離及びガルバニック分離の双方又は何れか一方を必要とする回路の実現に挑戦し続けられている。
【課題を解決するための手段】
【０００６】
本発明によれば、分離回路及び分離手段や、上述した挑戦を含む種々の挑戦に対処するための種々の具体例を提供する。
【０００７】
一具体例によれば、容量性信号通信を達成する。この場合、入力信号を反転させ、反転された入力信号と非反転の入力信号との双方を、入力信号の周波数とは異なる周波数を有するキャリア信号と別々に混合（例えば、変調）する。キャリア信号の周波数を通過し、例えば異なる電圧で動作する分離回路に対し入力信号周波数の信号の不所望な結合を促進する回路を容量的に越えるように、上述した混合信号を通信する。
【０００８】
他の具体例は、デジタルデータ信号の周波数とは異なる周波数を有するキャリア信号を用いてこのデジタルデータ信号を通信する通信回路であって、分離用キャパシタの組と、デジタルデータ信号を通過させる第１及び第２の回路とを有する通信回路に向けたものである。第１の回路は、デジタルデータ信号及びキャリア信号を用い、キャリア信号及びこのキャリア信号の反転とそれぞれ混合した混合データ信号を発生させるとともに、キャリア信号及びこのキャリア信号の反転とそれぞれ混合した混合反転データ信号を発生させる。混合データ信号は第１の組の分離用キャパシタに供給し、混合反転データ信号は第２の組の分離用キャパシタに供給する。第２の回路は、第１及び第２の組の分離用キャパシタをそれぞれ通過する混合信号からデータ信号を再生する。
【０００９】
他の具体例は、反転回路と、第１及び第２の組のキャパシタを有する容量性回路と、信号混合回路とを具える通信回路に向けたものである。反転回路の１つはデータ信号を反転させて反転データ信号を発生させ、反転回路の他の１つはデータ信号の周波数とは異なる周波数を有するキャリア信号を反転させて反転キャリア信号を発生させる。第１の信号混合回路はデータ信号を、キャリア信号及び反転キャリア信号の少なくとも一方と混合させ、これにより混合データ信号を第１の組のキャパシタに供給する。この第１の信号混合回路は更に、反転データ信号をキャリア信号及び反転キャリア信号の少なくとも一方と混合させ、これにより混合反転データ信号を第２の組のキャパシタに供給する。第２の信号混合回路は、混合データ信号からデータ信号を再生させ、混合反転データ信号はそれぞれ第１及び第２の組のキャパシタを通過させる。
【００１０】
他の具体例は、デジタルデータ信号の周波数とは異なる周波数を有するキャリア信号を用いてこのデジタルデータ信号を通信する方法に向けたものである。デジタルデータ信号及びキャリア信号を用いて、デジタルデータ信号をキャリア信号及びこのキャリア信号の反転とそれぞれ混合するとともに、反転デジタルデータ信号をキャリア信号及びこのキャリア信号の反転とそれぞれ混合する。混合（デジタル）データ信号は第１の組のキャパシタに供給され、混合反転（デジタル）データ信号は第２の組のキャパシタに供給される。データ信号は、第１及び第２の組のキャパシタをそれぞれ通過した混合信号から再生させる。
【００１１】
上述した説明は、本発明の各具体例又はあらゆる構成を開示するものではない。本発明の図面及び以下の説明も種々の例を例示するものである。
【００１２】
添付図面と関連した以下の詳細な説明を考慮することにより、本発明の種々の実施例をより完全に理解しうるであろう。
【図面の簡単な説明】
【００１３】
【図１】図１は、本発明の一実施例による通信回路を示す。
【図２】図２は、本発明の他の実施例による容量性通信回路を示す。
【図３】図３は、本発明の他の実施例による容量性通信回路の動作に対応する例示的な信号を示す信号線図である。
【発明を実施するための形態】
【００１４】
本発明は種々の変更及び変形が可能であるが、本発明の特定の実施例を図面に例示し、これらにつき以下に詳細に説明する。しかし、本発明はこれらの特定の実施例に限定されるものではないことを理解すべきである。すなわち、本発明は、特許請求の範囲に規定した態様を含む本発明の範囲内に入るあらゆる変更や変形並びに等価形態を包含するものである。
【００１５】
本発明は、容量性の分離障壁を越える通信用の又はこれらの通信を含む或いはこれらの双方の種々の回路、装置及びシステムに適用しうるものである。本発明は、必ずしもこれに関連したものに限定されず、関連する実施例の説明を通して本発明の種々の態様を達成しうるものである。
【００１６】
本発明の種々の実施例によれば、入力信号と、この入力信号の反転バージョンとを用いて信号通信を容量的に達成する。入力信号及び反転したこの入力信号を、入力信号の周波数とは異なる周波数を有するキャリア信号及びこのキャリア信号の反転バージョンとそれぞれ別々に混合（例えば、変調）する。混合したこれらの信号を容量的に通信し、元の入力信号を容量性通信から再生する。
【００１７】
この手法を用いることにより、容量性通信の送信側及び受信側における回路を互いに有効に分離させることができ、この手法は例えば、互いに異なる電圧で動作する回路であって、ある回路の１つの電圧レベルが他の回路を損傷させるこれらの回路（例えば、バッテリ回路）を分離させるのに有効である。更に、この手法は、ある回路から他の回路への電圧の過渡現象に対する耐性（非影響性）が得られるように構成することができる。更に、この手法を用いて信号を正確に再生させることができる。その理由は、それぞれの各混合信号に対し容量性通信を介して受信した種々の信号が、これら信号の立ち上がり縁及び立ち下り縁を正確に指示するためである。ある構成では、この手法を、通信の受信／再生側で必ずしもアナログフィルタリングを採用せずに実行することができる。
【００１８】
種々の実施例では、複数対のキャパシタを用いて容量性通信を実行する。第１の対のキャパシタには、それぞれ入力信号をキャリア信号及びこのキャリア信号の反転バージョンで変調して通信するのに用いるキャパシタが含まれている。第２の対のキャパシタには、それぞれ入力信号の反転バージョンを、キャリア信号及びこのキャリア信号の反転バージョンで変調して通信するのに用いるキャパシタが含まれている。従って、４つの信号が容量的に通信され且つ入力信号を再生するのに用いられる。
【００１９】
更なる特定の実施例では、これら４つの信号に対応するパルスを発生させるとともに、これらのパルスを、入力信号を再生するのに用いる。各キャパシタから生じるパルスを信号の有効部分中（例えば、信号が第１の対のキャパシタに対し正である際及び信号が第２の対のキャパシタに対し負である際）に互いに順次に離間させる。例えば、第１の組のキャパシタの出力を用いてデータ信号の立ち上がり縁を決定し、第２の組のキャパシタの出力を用いてデータ信号の立ち下がり縁を決定することができる。従って、第１の対のキャパシタから生じる各パルス列のうちの第１のパルスを、信号の立ち上がり縁を表すものとして用い、第２の対のキャパシタから生じる各パルス列のうちの第１のパルスを、信号の立ち下がり縁を表すものとして用いることができる。これら各パルス列のそれぞれの最後のパルスを用いて信号の立ち上がり縁及び立ち下がり縁を決定することもできる。
【００２０】
ある実施例では、キャパシタの各組におけるそれぞれのキャパシタ間の差動に基づいて信号を発生させる。例えば、キャリア信号と混合された入力信号の容量性通信を、反転されたキャリア信号と混合された入力信号の容量性通信と比較するのに比較器を用いることができる。各比較器は、信号の異なる１つとそれぞれ結合された正の入力端及び負の入力端を有し、各信号は１つの比較器の正の入力端と他の１つの比較器の負の入力端に結合される。
【００２１】
容量性通信は、信号の不所望な結合を種々の方法で分離させるか又は防止させる効果を有しうる。例えば、上述した容量性回路を、特定の分野、入力信号の種類及びキャリア信号の種類に応じて、高周波信号を通すか又は低周波信号を通すように構成することができる。
【００２２】
ある実施例では、容量性回路がこの回路の受信機側で電圧源に結合された抵抗を有し、これらの抵抗はキャリア信号の周波数を通過させる効果を有するキャパシタを具えるように構成する。これらの抵抗は、受信機側のインピーダンスを低くするのに用いられる。何れかの接地点における電圧の過渡現象中、電流は分離用キャパシタを経て流れる。終端インピーダンスは低い為に、受信機側はクリップせず、受信機は機能し続け、コモンモードの過渡現象に対する耐性を高くする。
【００２３】
他の実施例は、データ信号と、このデータ信号の周波数とは異なる周波数を有するキャリア信号とをそれぞれ反転させる反転回路を有する通信回路に向けたものである。第１及び第２の信号混合回路がそれぞれ容量性回路を用いて通信の送信及び受信を行う。第１の信号混合回路は、データ信号と反転データ信号とを別々にキャリア信号及び反転キャリア信号の少なくとも一方と混合して、各信号に対応する出力を生ぜしめる。第２の信号混合回路は、混合したデータ信号及び混合した反転データ信号であって、それぞれ容量性回路を通過したこれら信号からデータ信号を再生させる。
【００２４】
例えば、第１の信号混合回路は、データ信号をキャリア信号及び反転キャリア信号の各々と別々に混合させて２つの混合信号を発生させることができる。同様に、第１の信号混合回路により反転データ信号をキャリア信号及び反転キャリア信号の各々と別々に混合して、反転データ信号に対応する２つの追加の混合信号を発生させるようにすることができる。
【００２５】
上述した手法を用いることにより、例えば、変調データ信号及び反転変調データ信号の双方に対応するパルスを発生させ、これらのパルスを用いることにより、通過信号を処理することができる。これらパルスを、データ信号の立ち上がり縁及び立ち下り縁の双方又は何れか一方を表すものとして用いることにより、データ信号を再生させることができる。
【００２６】
ここで図面を参照するに、図１は、本発明の他の実施例による、容量性分離／通信素子を具える通信回路１００を示す。この回路１００は送信側で、２つのデータ信号変調器回路１１０及び１１２と、発振器１１４と、インバータ回路１１６とを有する。容量性分離回路１２０は、送信側を受信機側から分離させる。この受信機側にはデータ再生回路１３０を有する。送信側におけるデータ入力は容量性分離回路１２０を経て処理され且つ受信機側に容量的に通信される。
【００２７】
データ入力信号は信号変調器回路１１０に直接供給されるとともに、信号変調器回路１１２に供給される前にインバータ回路１１６を介して予め反転される。発振器１１４はキャリア信号を信号変調器回路１１０及び１１２の各々に供給する。信号変調器回路１１０及び１１２の各々は受信したデータ信号又は反転したデータ信号を発振器の出力と混合し、出力を容量性分離回路１２０に供給する。信号変調器回路１１０及び１１２はそれぞれ、これらに供給されたデータ（又は反転データ）信号を発振器出力及びこの発振器出力の反転バージョンと混合する。後者の混合の場合、信号変調器回路１１０及び１１２は発振器信号の反転を達成するようにすることができ、又は反転をその他の個所で（例えば、発振器１１４と信号変調器回路との間のインバータ回路を用いて）実行するようにしうる。
【００２８】
容量性分離回路１２０は、信号変調器回路１１０及び１１２から受けた出力をデータ再生回路１３０に向けて容量的に通過させる。このデータ再生回路でそれぞれの信号を処理し、元の入力信号を再生するための立ち上がり縁及び立ち下り縁を決定するのに用いるパルスを発生させる。例えば、データ信号変調器回路１１０から得られる順次のパルスの列のうちの最初のパルス及び最後のパルスを、入力信号の正の部分（セグメント）の開始及び終了を表すものとして用いることができる。これに対応して、データ信号変調器回路１１２から得られる順次のパルスの列のうちの最初のパルス及び最後のパルスを、入力信号の正の部分の終了及び開始をそれぞれ表すものとして用いることができる。
【００２９】
図２は、入力信号を、容量性回路を介して出力端に通信する本発明の他の実施例による容量性通信回路２００を示す。この回路２００は、入力データ信号を（Ｂで）受けるとともに発振器２２０から発振器信号を受けるようにそれぞれ結合された数個のＡＮＤゲート２１０、２１２、２１４及び２１６を有する。インバータ回路２３０及び２３４はそれぞれ、ＡＮＤゲート２１０及び２１４に供給される発振器信号を反転させる。インバータ回路２３６は入力データ信号を反転させ、この反転した入力データ信号をＡＮＤゲート２１４及び２１６に供給する。ＡＮＤゲート２１０、２１２、２１４及び２１６の出力はそれぞれ分離用キャパシタ２４０、２４２、２４４及び２４６に供給する。
【００３０】
これらキャパシタ２４０、２４２、２４４及び２４６は、回路２００の受信機側（右側）で、複数の比較器２５０、２５２、２５４及び２５６に出力を供給するように接続されており、これら比較器に供給される出力（信号）は抵抗２６０、２６２、２６４及び２６６を経て発生させる。これら抵抗には図示するようにVref が結合されている。比較器２５０及び２５２の各々は、図示するようにキャパシタ２４０及び２４２の出力端にそれぞれ結合された２つの入力端（それぞれ正及び負又は負及び正の入力端）を有している。同様に、比較器２５４及び２５６の各々は、図示するようにキャパシタ２４４及び２４６の出力端にそれぞれ結合された２つの入力端を有している。比較器２５０及び２５６の出力端はそれぞれフリップフロップ２７０のセット及びリセット入力端に結合されており、比較器２５２及び２５４の出力端はそれぞれフリップフロップ２７２のセット及びリセット入力端に結合されている。従って、入力信号に対応する出力はそれぞれのセット入力端に供給され、反転入力信号に対応する出力はそれぞれのリセット入力端に供給される。
【００３１】
回路２００の受信機側には更に第３のフリップフロップ２７４と、ＡＮＤゲート２８０及び２８２と、第４のフリップフロップ２９０とが設けられている。フリップフロップ２７０の出力はＡＮＤゲート２８０及びフリップフロップ２７４のリセット入力端にそれぞれ供給され、このフリップフロップ２７４の出力もＡＮＤゲート２８０に供給される。フリップフロップ２７２の出力はＡＮＤゲート２８２及びフリップフロップ２７４のセット入力端にそれぞれ供給され、このフリップフロップ２７４の出力もＡＮＤゲート２８２に供給される。ＡＮＤゲート２８０及び２８２の出力はフリップフロップ２９０のリセット及びセット入力端にそれぞれ供給され、このフリップフロップ２９０の出力が再生した入力信号に相当する。
【００３２】
従って、ＡＮＤゲート２１０、２１２、２１４及び２１６がそれぞれ入力信号又は反転入力信号と発振器信号又はこの発振器信号の反転バージョンとの混合、すなわち変調を達成する。この信号の組み合わせにより、容量性回路２４０、２４２、２４４及び２４６に、入力信号の立ち上がり縁及び立ち下がり縁を表すパルスのそれぞれの列に対応する出力を生ぜしめる。従って、回路の受信機側が再生信号の立ち上がり縁及び立ち下がり縁を（有効に）識別するようにパルスを処理し、これに対応して入力信号に対応する出力をフリップフロップ２９０に生ぜしめる。
【００３３】
0005518153.tif 000002
【００３４】
0005518153.tif 000003
【００３５】
0005518153.tif 000004
【００３６】
0005518153.tif 000005
【００３７】
0005518153.tif 000006
【００３８】
上述した種々の手法は、受信機側でアナログフィルタリングを実行することなく、直流（ＤＣ）及び交流（ＡＣ）の双方の通信に対し実行することができる。信号及びデータの双方が差動的である為、信頼性の高いデータ伝送が促進される。更に、極めて低速のデータの伝送が入っている動作を含む種々の動作モードの下でのフェイルセーフ機能に対し、受信機側でのキャリアの存在を用いることができる。
【００３９】
当業者は、図示した且つ上述した代表的な実施例及び適用分野に厳密に追従することなく、上述した説明及び図面に基づいて、種々の変更を本発明に達成しうることを、容易に認識しうるものである。例えば、上述したデータ信号を再生するのに種々の方法を適用することができ、フィルタ／容量型回路から発生されるパルスの異なる特徴部分を用いて元の信号の立ち上がり縁及び立ち下がり縁を決定することができる。入力信号の周波数よりも高いキャリア周波数を含み、これに関連して高周波信号を通過させるものとして示した変調は、入力信号の周波数よりも低いキャリア周波数を用い、これに関連して低周波信号を通過させることにより、実現することができる。更に、自動車分野、高出力バッテリ分野のような種々の分野に適合する種々の異なる装置や、異なる電圧レベルで動作する種々の素子を有する他のシステムで前述した種々の回路を実現しうる。このような変更は、以下の特許請求の範囲に包含されるものを含む本発明の真の精神及び範囲を逸脱するものではない。更に、本明細書で用いた用語「例えば」は、例示のために用いたものであり、本発明をこれらの例示に限定するものではない。
【図１】
0005518153.tif 000007
【図２】
0005518153.tif 000008
【図３】
0005518153.tif 000009